(57)【要約】【目的】  画面を正しく見るための持ち替えを極力少なくすることができる携帯端末を提供する。【構成】  画面縦横設定等の各種設定情報がＦｌａｓｈＲＯＭ２１８に格納されている。グラフィックスコントローラ２０５は、縦画面表示と横画面表示のいずれの処理も可能に構成されている。ＣＰＵ２０９は、画面縦横設定情報に基づいて画面表示の縦横変更指示をグラフィックスコントローラ２０５に与える。ユーザが横画面を選択すれば横画面でテレビ映像表示が行われ、この映像表示状態で例えば設定画面に切り替わるときも横画面の画像表示が維持されることになり、携帯端末を持ち替えずに画面を正しく見て操作が行える。【選択図】      図２
2005244308.tif 000002
【特許請求の範囲】
【請求項１】
ディスプレイを備え、縦画面での画像表示及び横画面での画像表示が可能に構成された携帯端末において、ユーザによる設定情報が格納されるメモリと、ユーザにより設定された縦画面又は横画面の選択情報を前記メモリに格納する手段と、画像表示に際して前記メモリに格納されている設定情報に基づいて縦画面の画像表示又は横画面の画像表示を実行する手段と、を備えたことを特徴とする携帯端末。
【請求項２】
請求項１に記載の携帯端末において、縦画面又は横画面の選択が設定画面上で行え、前記選択後で且つ所定の条件が満たされたときに画面表示の縦横変更処理が実行されるように構成されたことを特徴とする携帯端末。
【請求項３】
請求項２に記載の携帯端末において、設定画面上で縦画面への変更又は横画面への変更が選択された後、キー入力の無い状態が所定時間継続した場合に、画面表示の縦横変更処理が実行されるように構成されたことを特徴とする携帯端末。
【請求項４】
請求項２に記載の携帯端末において、設定画面上で縦画面への変更又は横画面への変更が選択された後、設定画面以外の画面に切り替わることを条件に画面表示の縦横変更処理が実行されるように構成されたことを特徴とする携帯端末。
【請求項５】
請求項１乃至請求項４のいずれかに記載の携帯端末において、画面表示されたカーソルを上下左右に移動させるためのキーを備え、前記キーによるカーソルの移動方向が画面表示の縦横変更に対応して変更されるように構成されたことを特徴とする携帯端末。
【請求項６】
請求項１乃至請求項５のいずれかに記載の携帯端末において、縦画面での表示可能文字数よりも横画面での表示可能文字数を多くするように構成されたことを特徴とする携帯端末。
【請求項７】
請求項１乃至請求項６のいずれかに記載の携帯端末において、前記ディスプレイとして液晶表示パネルを備え、縦画面での表示輝度及び／又はコントラストと横画面での表示輝度及び／又はコントラストとがそれぞれ設定されることを特徴とする携帯端末。
【請求項８】
請求項７に記載の携帯端末において、前記それぞれの設定がユーザ操作で変更できるように構成されたことを特徴とする携帯端末。
【発明の詳細な説明】
【技術分野】
【０００１】
この発明は、携帯電話やＰＤＡなどの携帯端末に関する。
【背景技術】
【０００２】
従来より、ディスプレイを備え、縦画面での画像表示及び横画面での画像表示が可能に構成された携帯端末が知られている（特許文献１、特許文献２参照）。また、チューナを備えてテレビ視聴が行える携帯端末も知られており、このような携帯端末では、一般に、横画面状態でテレビ映像の表示が行われる。
【特許文献１】特開２００１−３３９４９５号公報
【特許文献２】特開２００２−２３２５４９号公報
【発明の開示】
【発明が解決しようとする課題】
【０００３】
しかしながら、従来装置においては、横画面状態でテレビ視聴中に設定画面を呼び出すと、この設定画面は縦画面表示されるので、画面を正しく見るために携帯端末を縦方向に持ち替えなければならないという不満がある。
【０００４】
この発明は、上記事情に鑑み、画面を正しく見るための持ち替えを極力少なくすることができる携帯端末を提供することを目的とする。
【課題を解決するための手段】
【０００５】
この発明の携帯端末は、上記の課題を解決するために、ディスプレイを備え、縦画面での画像表示及び横画面での画像表示が可能に構成された携帯端末において、ユーザによる設定情報が格納されるメモリと、ユーザにより設定された縦画面又は横画面の選択情報を前記メモリに格納する手段と、画像表示に際して前記メモリに格納されている設定情報に基づいて縦画面の画像表示又は横画面の画像表示を実行する手段と、を備えたことを特徴とする。
【０００６】
上記の構成であれば、ユーザの設定で縦画面又は横画面での画像表示が行われる。従って、例えばユーザが横画面を選択すれば、横画面で画像表示（例えば、再生映像表示）が行われ、この画像表示状態で別表示に切り替わる（例えば、設定画面に切り替わる）ときも横画面の画像表示が維持されることになり、携帯端末を持ち替えずに正しい向きの画面を見て操作が行えることになる。
【０００７】
上記構成において、縦画面又は横画面の選択が設定画面上で行え、前記選択後で且つ所定の条件が満たされたときに画面表示の縦横変更処理が実行されるように構成されているのがよい。例えば、設定画面上で縦画面への変更又は横画面への変更が選択された後、キー入力の無い状態が所定時間継続した場合に、画面表示の縦横変更処理が実行されるように構成されていてもよい。或いは、設定画面上で縦画面への変更又は横画面への変更が選択された後、設定画面以外の画面に切り替わることを条件に画面表示の縦横変更処理が実行されるように構成されていてもよい。これらの構成であれば、画面縦横変更でいきなり縦画面又は横画面に変更されることによる不満を解消することができる。
【０００８】
これら構成の携帯端末において、画面表示されたカーソルを上下左右に移動させるためのキーを備え、前記キーによるカーソルの移動方向が画面表示の縦横変更に対応して変更されるように構成されているのがよい。また、縦画面での表示可能文字数よりも横画面での表示可能文字数を多くするように構成されているのがよい。
【０００９】
また、これら構成の携帯端末において、前記ディスプレイとして液晶表示パネルを備え、縦画面での表示輝度及び／又はコントラストと横画面での表示輝度及び／又はコントラストとがそれぞれ設定されるのがよい。また、前記それぞれの設定がユーザ操作で変更できるように構成されているのがよい。
【発明の効果】
【００１０】
この発明によれば、例えばユーザが横画面を選択すれば、横画面で画像表示（例えば、再生映像表示）が行われ、この画像表示状態で別表示に切り替わる（例えば、設定画面に切り替わる）ときも横画面の画像表示が維持されることになり、携帯端末を持ち替えずに画面を正しい方向で見て操作が行えることになる。縦画面又は横画面の選択が設定画面上で行え、前記選択後で且つ所定の条件が満たされたときに画面表示の縦横変更処理が実行される構成であれば、画面縦横変更でいきなり縦画面又は横画面に変更されることによる不満を解消することができる。キーによるカーソルの移動方向が画面表示の縦横変更に対応して変更される構成や表示文字数が変更される構成であれば、更に使い勝手が良くなる。また、縦画面での表示輝度及び／又はコントラストと横画面での表示輝度及び／又はコントラストとがそれぞれ設定される構成であれば、いずれの画面でも常に良好な表示が行えるという効果を奏する。
【発明を実施するための最良の形態】
【００１１】
以下、この発明の実施形態を図１乃至図６に基づいて説明する。
【００１２】
図１はこの実施形態の携帯端末の外観を示した斜視図であり、図２は携帯端末のブロック図である。
【００１３】
携帯端末２は、図１に示しているように、例えば偏平方形状を有するＰＤＡとされており、図２に示すごとく、電池２２１により駆動される。この携帯端末２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。なお，この実施形態では符号化映像・音声データはＭＰＥＧ４データであるとする。
【００１４】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ４−ＡＡＣ）２０６に与える。
【００１５】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー画面、地上ディジタル放送から取得した番組情報によるＥＰＧ画面、電子メールの内容である文字等等）を液晶表示パネル２０２に表示するＯＳＤ（オンスクリーンディスプレイ）処理も行う。更に、グラフィックスコントローラ２０５は、縦画面表示と横画面表示のいずれの処理も可能に構成されている。縦画面表示と横画面表示は画像を９０°回転させることで実現される。オーディオデコーダ２０６は、ビットストリーム中の音声符号データを復号して音声データを生成する。ＳＤＲＡＭ２１０は、ＭＰＥＧ４ビデオデコーダ２０４の上記処理において利用される。
【００１６】
ＬＣＤコントローラ２０７は、グラフィックスコントローラ２０５から供給された映像データに基づいて液晶表示パネル２０２を駆動する。また、ＬＣＤコントローラ２０７は、ＣＰＵ２０９から与えられるコントラスト情報及び輝度情報に基づいてコントラスト設定及び輝度設定を行う。Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１７】
本体キー２１４（タッチパネルを含む）は視聴に関する操作ボタン（記録、再生、ポーズ、ストップ、送り）やカーソルキー２１４ａ等から成る。この本体キー２１４に対する操作情報は、インターフェイス２１５及びシステムバス２１３を介してＣＰＵ２０９に与えられる。ＣＰＵ２０９は上記操作情報に基づいて必要な処理を実行する。なお、カーソルキー２１４ａは４つの操作ポイントを有しており、図において各操作ポイントにはそれぞれａ，ｂ，ｃ，ｄの符号を付記している。
【００１８】
また、近距離無線ネットワークを可能にするために、通信ブロック（無線ＬＡＮブロック等）２１６及びインターフェイス２１７が設けられている。更に、ＦｌａｓｈＲＯＭ２１８やＳＤＲＡＭ２１９も備える。後述する画面縦横設定等の各種設定情報は例えばＦｌａｓｈＲＯＭ２１８に格納されている。電池２２１は二次電池であり、図示しない充電器から電力の供給を得てこれを蓄える。携帯電話部２３１は通常の電話のために用いることとしている。
【００１９】
ＣＰＵ２０９は、無線ネットワークのための処理、スロット２０１にＰＨＳデータカード４によるデータ送受信（インターネット接続処理、電子メール送受信など）、受信データに基づく各機能部の制御、ＦｌａｓｈＲＯＭ２１８やＳＤＲＡＭ２１９のリード／ライト制御なども行うようになっている。更に、画面縦横設定情報に基づいて画面表示の縦横変更指示をグラフィックスコントローラ２０５に与える。この指示のタイミングについては後述する。
【００２０】
また、グラフィックスコントローラ２０５は、放送受信映像の画面サイズを縮小する処理（スケーリング処理）を行うことができ、この画面サイズ変更による画面余部にデータ放送部分やメッセージが表示されるように、サイズ変更画面（動画プレーン）の生成及び静止画プレーンの生成を行う。また、グラフィックスコントローラ２０５は、放送受信映像上にウィンドを表示し、このウィンド内にメッセージを表示する処理を行うこともできる。
【００２１】
本体キー２１４に設けた録画キーの押下信号、或いは、メニュー画面上からの録画指令を受けたＣＰＵ２０９は、受信中の番組のデータをメモリカード３に記録する処理を実行する。また、本体キー２１４に設けた再生キーの押下信号、或いは、メニュー画面上からの再生指令を受けたＣＰＵ２０９は、メモリカード３から読み出したデータをバス２１３を介してＭＰＥＧ４ビデオデコーダ２０４に供給し、ＬＣＤパネル２０２上に映像を表示する。
【００２２】
次に、画面の縦横表示切替について説明していく。
（１）  メニュー画面上で「設定」項目が選択されると、各種設定項目が表示される。この項目のなかの「画面設定」で縦画面を選択すると、縦状態のＬＣＤパネル２０２に対して適正向きで画像が表示されるように処理を実行するモードとなり（図３（ａ）、図４（ａ）参照）、横画面を選択すると、横状態のＬＣＤパネル２０２に対して適正向きで画像が表示されるように処理を実行するモードとなる（図３（ｂ）、図４（ｂ）参照）。また、カーソルキー２１４ａの操作に対する画面上のカーソル移動方向は、縦画面と横画面とで異なるように処理している。すなわち、ＣＰＵ２０９は、図３（ａ）の状態で操作ポイントｃの押下を検出したとき、図４（ａ）に示すように、カーソルを下方に移動させる処理を実行する一方、図３（ｂ）の状態で操作ポイントｄの押下を検出したとき、図４（ｂ）に示すように、カーソルを下方に移動させる処理を実行する。
（２）  横画面状態の方が縦画面状態に比べて１行内に表示できる文字数は多くなる。そこで、例えば、図５（ａ）（ｂ）に示すように、縦画面状態で所定大きさの文字は１行内に６文字表示することとし、これを超える場合には改行を実行することとする。そして、例えば、横画面状態で同所定大きさの文字は１行内に８文字表示することとし、これを超える場合には改行を実行することとする。すなわち、二つの表示フォーマットを用意しておいて、画面縦横の設定で表示フォーマットを切り替える。
（３）  横画面か縦画面かの設定は前述のごとく、メニュー画面上で行うのであるが、例えば、縦画面状態のメニュー表示で横画面を選択した途端に、メニュー表示が横画面表示に切り替わるのでは、ユーザが未だ携帯端末２を横向きに持ち直していないのに横画面表示になってしまい、ユーザにとって不満となる。そこで、ＣＰＵ２０９は、画面の縦横設定の変更を判定した場合でも、直ちにその設定に従った表示実行の指示をグラフィックスコントローラ２０５に与えるのではなく、以下に示すタイミングでグラフィックスコントローラ２０５に与える。１．設定画面で画面縦横表示の選択がなされてから所定時間（例えば、２秒）がキー入力の無いまま経過したとき、２．設定画面から別の画面（他の設定画面、待ち受け画面、映像表示画面等）に切り替わったとき、３．設定画面から別の画面（電源停止による非表示画面、待ち受け画面、映像表示画面等）に切り替わってから再び設定画面に戻ったときとする。
（４）  ＬＣＤパネル２０２における最も見やすい方向は、例えば、縦画面表示状態で画面正面方向よりも幾分上側に設定される。この場合、横画面表示状態になると、最も見やすい方向は画面正面方向よりも右位置或いは左位置に変化してしまい、画面正面での輝度やコントラストが低下してしまう。そこで、ＣＰＵ２０９は、横画面表示状態となるときには、予め設定されている高めとなるコントラスト値及び輝度値で表示させる指示をＬＣＤコントローラ２０７に対して与える。なお、ＬＣＤパネル２０２における最も見やすい方向が横画面表示状態で画面正面方向よりも幾分上側に設定されているとした場合についても同様の処理を行えばよい。
【００２３】
横画面表示状態となるときのコントラスト値及び輝度値（以下、ＬＣＤ調整値という）及び縦画面表示状態となるときのＬＣＤ調整値がメーカー設定で固定されるものでもよいが、ユーザ操作で変更できるようにしてもよい。この処理の概略を図６のフローチャートに示す。なお、この処理例では当初は縦画面設定が選択されているものとする。まず、ＣＰＵ２０９は縦表示用のＬＣＤ調整値をＦｌａｓｈＲＯＭ２１８から読み出してＬＣＤコントローラ２０７に与える（ステップＳ１）。前記縦表示用のＬＣＤ調整値は、メーカー設定値又はユーザによる設定値である。次に、画面の縦横切替がユーザによって指示されたかどうかを判定する（ステップＳ２）。ステップＳ２でＹＥＳと判定され、横画面設定が選択されたと判定した場合には（ステップＳ３でＹＥＳ）、グラフィックスコントローラ２０５はＣＰＵ２０９からの指示で横画面用の表示フォーマットで表示処理を実行する（ステップＳ４）。そして、ＣＰＵ２０９は横表示用のＬＣＤ調整値をＦｌａｓｈＲＯＭ２１８から読み出してＬＣＤコントローラ２０７に与える（ステップＳ５）。一方、変更無しの場合には（ステップＳ３でＮＯ）、グラフィックスコントローラ２０５はＣＰＵ２０９からの指示で縦画面用の表示フォーマットで表示処理を実行する（ステップＳ６）。そして、ＣＰＵ２０９は縦表示用のＬＣＤ調整値をＦｌａｓｈＲＯＭ２１８から読み出してＬＣＤコントローラ２０７に与える（ステップＳ７）。
【００２４】
ステップＳ２でＮＯと判定された場合は、ＬＣＤ調整値の変更の有無を判定する（ステップＳ８）。ＬＣＤ調整値の変更は、例えば、メニュー画面の「ＬＣＤ調整値の変更」といった項目を選択することで行える。或いは、輝度アップダウンボタンやコントラストアップダウンボタンを備える構成であれば、当該ボタンの操作でＬＣＤ調整値を変更することができる。ステップＳ８でＹＥＳとされた場合、現在表示が縦画面表示かどうかを判定する（ステップＳ９）。縦画面表示の場合であれば、縦表示用のＬＣＤ調整値を変更してＦｌａｓｈＲＯＭ２１８に格納する（ステップＳ１０）。一方、横画面表示の場合であれば、横表示用のＬＣＤ調整値を変更してＦｌａｓｈＲＯＭ２１８に格納する（ステップＳ１１）。
【図面の簡単な説明】
【００２５】
【図１】この発明の実施形態の携帯端末の外観を示した平面図であり、同図（ａ）は縦向きの図であり、同図（ｂ）は横向きの図である。
【図２】この発明の実施形態の携帯端末の構成を示したブロック図である。
【図３】この発明の実施形態の携帯端末の外観を示した平面図であり、同図（ａ）は縦向きの図であり、同図（ｂ）は横向きの図である。
【図４】この発明の実施形態の携帯端末の外観を示した平面図であり、同図（ａ）は縦向きの図であり、同図（ｂ）は横向きの図である。
【図５】この発明の実施形態の携帯端末の外観を示した平面図であり、同図（ａ）は縦向きの図であり、同図（ｂ）は横向きの図である。
【図６】この発明の実施形態の携帯端末の処理例を示したフローチャートである。
【符号の説明】
【００２６】
２    携帯端末
２０２  ＬＣＤパネル
２０５  グラフィックスコントローラ
２０７  ＬＣＤコントローラ
２０９  ＣＰＵ
【図１】
2005244308.tif 000003
【図２】
2005244308.tif 000004
【図３】
2005244308.tif 000005
【図４】
2005244308.tif 000006
【図５】
2005244308.tif 000007
【図６】
2005244308.tif 000008